(57)【特許請求の範囲】
【請求項１】
ケーブルを誘導して配線を可能とする配線用工具であって、
可撓性のある薄膜部材と、
該薄膜部材の一方の面に複数配列されて固定される第１の剛性部材と、
前記薄膜部材及び前記第１の剛性部材を包み込む袋状体と、
前記袋状体の開口部に挿入された前記ケーブルを締結する紐状体とを具備し、
前記第１の剛性部材は、前記薄膜部材に対して前記第１の剛性部材が固定される側に湾曲するような曲げ応力が作用した際に、前記配線用工具が前記第1の剛性部材が固定される側に屈曲できないように、該第１の剛性部材の側面が、隣接する他の第１の剛性部材の側面と当接するように配列されていることを特徴とする配線用工具。
【請求項２】
前記薄膜部材の他方の面に固定される第２の剛性部材を具備し、
前記第２の剛性部材に、前記配線用工具の屈曲角度を調整する切欠部が設けられており、
前記袋状体は、前記薄膜部材と前記第１の剛性部材と前記第２の剛性部材とを包み込むように構成されていることを特徴とする請求項１に記載の配線用工具。
【請求項３】
前記袋状体の内部に紐が設けられており、
前記薄膜部材及び前記第１の剛性部材は、前記紐で締結されることによって、前記袋状体内で反転しないように固定されることを特徴とする請求項１に記載の配線用工具。
【請求項４】
前記袋状体の内部に、前記薄膜部材及び前記第１の剛性部材に適合した袋が設けられており、
前記薄膜部材及び前記第１の剛性部材は、前記袋内に挿入されることによって、前記袋状体内で反転しないように固定されることを特徴とする請求項１に記載の配線用工具。
【請求項５】
前記袋状体は、前記薄膜部材の一方の面側と前記薄膜部材の他方の面側とを識別可能な外観とされていることを特徴とする請求項３又は４に記載の配線用工具。
【請求項６】
配線用工具を用いてケーブルの配線を行う配線方法であって、
前記配線用工具は、
可撓性のある薄膜部材と、
該薄膜部材の一方の面に複数配列されて固定される第１の剛性部材と、
前記薄膜部材及び前記第１の剛性部材を包み込む袋状体と、
前記袋状体の開口部に挿入された前記ケーブルを締結する紐状体とを具備し、
前記第１の剛性部材は、前記薄膜部材に対して前記第１の剛性部材が固定される側に湾曲するような曲げ応力が作用した際に、前記配線用工具が前記第1の剛性部材が固定される側に屈曲できないように、該第１の剛性部材の側面が、隣接する他の第１の剛性部材の側面と当接するように配列されており、
前記袋状体の開口部に挿入された前記ケーブルを前記紐状体を用いて締結することによって、該ケーブルを前記配線用工具に連結する工程と、
前記ケーブルが連結された配線用工具を前記薄膜部材の一方の面を下にした状態でケーブル通路内を通過させることによって、横方向に前記ケーブルを誘導する工程と、
横方向から縦方向へ、又は横方向から縦方向へ前記ケーブルを誘導する方向を切り替えるために、前記薄膜部材の他方の面を前記ケーブルを誘導する方向に向けて前記配線用工具を屈曲させる工程とを有することを特徴とする配線方法。
【発明の詳細な説明】
【０００１】
【発明の属する技術分野】
本発明は、ケーブルを誘導して配線を可能とする配線用工具及びこれを用いてケーブルの配線を行う配線方法に関する。
【０００２】
【従来の技術】
従来、配線架（例えば、ＦＣ（Ｆｉｂｅｒ  Ｃｏｎｎｅｃｔｉｏｎ）架等）において、複数の作業員が、手作業で、ケーブルの配線を行っていた。
【０００３】
【発明が解決しようとする課題】
しかしながら、従来のケーブル配線方法では、配線架におけるケーブル通路が狭い場合、作業効率が低下するという問題点があった。この問題点は、ケーブルを高密度に収容することができる配線架（例えば、ＳＣ架）において、特に顕著になっていた。
【０００４】
そこで、本発明は、以上の点に鑑みてなされたもので、配線架においてケーブル通路が狭い場合であっても、作業効率を向上させることを可能とする配線用工具及び配線方法を提供することを目的とする。
【０００５】
【課題を解決するための手段】
本発明に係る配線用工具は、ケーブルを誘導して配線を可能とするものであって、可撓性のある薄膜部材と、該薄膜部材の一方の面に複数配列されて固定される第１の剛性部材と、前記ケーブルを連結するための連結手段とを具備し、前記第１の剛性部材は、前記薄膜部材に対して前記第１の剛性部材が固定される側に湾曲するような曲げ応力が作用した際に、該第１の剛性部材の側面が、隣接する他の第１の剛性部材の側面と当接するように配列されていることを特徴とするものである。
【０００６】
かかる発明によれば、薄膜部材に対して「第１の剛性部材が固定される側」に湾曲するような曲げ応力が作用した場合であっても、第１の剛性部材の側面が、隣接する他の第１の剛性部材の側面と当接するために、当該配線用工具が、上述の「第１の剛性部材が固定される側」に屈曲することができない。一方、薄膜部材に対して「第１の剛性部材が固定されていない側」に湾曲するような曲げ応力が作用した場合は、薄膜部材が可撓性を有するために、当該配線用工具が、上述の「第１の剛性部材が固定されていない側」に屈曲する。
【０００７】
この性質を利用して、配線架において横方向にケーブルを誘導する場合に、ケーブルを連結手段で連結した配線用工具を、上述の「第１の剛性部材が固定される側」を下にした状態でケーブル通路内を通過させることによって、横方向のケーブル配線をスムーズに行うことが可能となり、作業効率の向上を図ることが可能となる。
【０００８】
また、配線架において、横方向から縦方向へ、又は横方向から縦方向へケーブルを誘導する方向を切り替える場合は、上述の「第１の剛性部材が固定されていない側」を切り替える方向に向けて、ケーブルを連結手段で連結した配線用工具を屈曲させ、配線用工具の進行方向を切り替えることができる。この結果、ケーブルを誘導する方向の切り替えをスムーズに行うことが可能となり、作業効率の向上を図ることが可能となる。
【０００９】
また、かかる発明によれば、上述の「第１の剛性部材が固定されていない側」に配線用工具を屈曲させて丸めることが可能であるため、当該配線用工具を使用しない場合の保管に便利である。
【００１０】
また、上述の配線用工具において、前記薄膜部材の他方の面に固定される第２の剛性部材を具備し、前記第２の剛性部材に、前記配線用工具の屈曲角度を調整する切欠部が設けられていることが好ましい。
【００１１】
かかる発明によれば、切欠部によって配線用工具の屈曲角度を調整することができるため、横方向から縦方向へケーブルを誘導する方向を切り替える場合や、横方向から縦方向へケーブルを誘導する方向を切り替える場合において、配線用工具が屈曲し過ぎるといった不具合を解消することができ、より作業効率の向上を図ることができる。
【００１２】
また、上述の配線用工具において、前記薄膜部材及び前記第１の剛性部材を包み込む袋状体を具備し、前記連結手段が、前記袋状体の開口部と、該開口部に挿入される前記ケーブルを締結する紐状体とによって構成されることが好ましい。
【００１３】
かかる発明によれば、袋状体の開口部に挿入されたケーブルを紐状体で締結することによって、配線用工具とケーブルが連結されるため、配線用工具を安価で容易に製作することができる。また、ケーブルのコネクタ部分の形状を意識することなく、配線用工具とケーブルとを連結することができる。さらに、薄膜部材及び第１の剛性部材が、袋状体によって包み込まれるため、ケーブルの誘導の途中で、ケーブル通路等に接触して傷つけられるという不具合を回避することができる。
【００１４】
また、上述の配線用工具において、前記薄膜部材及び前記第１の剛性部材が、前記袋状体内で固定されていることが好ましい。
【００１５】
かかる発明によれば、ケーブルを誘導している途中で、袋状体内で薄膜部材及び第１の剛性部材が反転して、「第１の剛性部材が固定されていない側（屈曲可能な側）」と「第１の剛性部材が固定される側（屈曲不可能な側）」とが入れ替わるという不具合を解消することができる。
【００１６】
また、上述の配線用工具において、前記袋状体が、前記薄膜部材の一方の面側と前記薄膜部材の他方の面側とを識別可能な外観とされていることが好ましい。
【００１７】
かかる発明によれば、袋状体の外側から「第１の剛性部材が固定されていない側（屈曲可能な側）」と「第１の剛性部材が固定される側（屈曲不可能な側）」とを識別することが可能となる。
【００１８】
本発明による配線方法は、配線用工具を用いてケーブルの配線を行うものであって、前記配線用工具が、可撓性のある薄膜部材と、該薄膜部材の一方の面に複数配列されて固定される第１の剛性部材と、前記ケーブルを連結するための連結手段とを具備し、前記第１の剛性部材が、前記薄膜部材に対して前記第１の剛性部材が固定される側に湾曲するような曲げ応力が作用した際に、該第１の剛性部材の側面が、隣接する他の第１の剛性部材の側面と当接するように配列されており、前記配線用工具の連結手段に前記ケーブルを連結する工程と、前記ケーブルが連結された配線用工具を前記薄膜部材の一方の面を下にした状態でケーブル通路内を通過させることによって、横方向に前記ケーブルを誘導する工程と、横方向から縦方向へ、又は横方向から縦方向へ前記ケーブルを誘導する方向を切り替えるために、前記薄膜部材の他方の面を前記ケーブルを誘導する方向に向けて前記配線用工具を屈曲させる工程とを有することを特徴とするものである。
【００１９】
かかる発明によれば、一方の方向（薄膜部材の他方の面側）にしか屈曲しない配線用工具を用いるため、横方向にケーブルを誘導する工程、及び、横方向から縦方向へ、又は縦方向から横方向へケーブルを誘導する方向を切り替える工程をスムーズに行うことが可能となり、作業効率を向上が可能になる。
【００２０】
【発明の実施の形態】
（本発明の実施形態に係る配線用工具）
本発明の実施形態に係る配線用工具１について図１乃至４を参照しながら説明する。
【００２１】
図１に示すように、本実施形態に係る配線用工具１は、ケーブル６を誘導して配線を可能とするものであって、可撓性のある薄膜部材２と、薄膜部材２の一方の面に複数配列されて固定される第１の剛性部材３と、薄膜部材２の他方の面に固定される第２の剛性部材４と、ケーブル６を連結するための連結手段（後述）とから構成される。
【００２２】
ここで、第１の剛性部材３が固定されている薄膜部材２の一方の面を「Ｂ面」、第２の剛性部材４が固定されている薄膜部材２の他方の面を「Ａ面」とする。
【００２３】
本実施形態では、第１の剛性部材３及び第２の剛性部材４は、ネジ５によって薄膜部材２に固定されているが、接着剤や接着シート等の手段で薄膜部材２に固定されていてもよい。
【００２４】
第１の剛性部材３は、薄膜部材２に対して第１の剛性部材３が固定される側（「Ｂ面」側）に湾曲するような曲げ応力Ｆ１（図２参照）が作用した場合に、第１の剛性部材３の側面３ａが、隣接する他の第１の剛性部材３'の側面３'ａと当接するように配列されているため、かかる場合に、配線用工具１は「Ｂ面」側に屈曲することができない。
【００２５】
第１の剛性部材３として、任意の素材を用いることができるが、作業効率を考えて、アルミニウム、木、プラスチック等の比較的軽量な素材を用いることが好ましい。また、第１の剛性部材３の形状も、上述のように配線用工具１が「Ｂ面」側に屈曲しないように配列可能なものであればどのような形状であってもよい。
【００２６】
第２の剛性部材４には、配線用工具１の屈曲角度を調整する切欠部４ａが設けられている。したがって、図２に示すように、薄膜部材２に対して「第１の剛性部材３が固定されていない側（「Ａ面」側）」に湾曲するような曲げ応力Ｆ２が作用した場合は、切欠部４ａの形状に応じて、配線用工具１が「Ａ面」側に屈曲する。切欠部４ａは、配線用工具１が「Ａ面」側に９０°程度まで屈曲可能なように形成することが好ましい。また、第２の剛性部材４として、任意の素材を用いることができるが、作業効率を考えて、アルミニウム、木、プラスチック等の比較的軽量な素材を用いることが好ましい。
【００２７】
薄膜部材２は、例えば、皮、化学繊維等の可撓性のある素材により形成することができる。また、薄膜部材２は、第１の剛性部材３及び第２の剛性部材４を固定した状態で湾曲可能な強度を維持できる厚さであればよい。
【００２８】
また、本実施形態に係る配線用工具１は、図３に示すように、薄膜部材２と第１の剛性部材３と第２の剛性部材４とを包み込む袋状体７を具備している。
【００２９】
薄膜部材２と第１の剛性部材３と第２の剛性部材４は、袋状体７内で反転しないように固定されている。袋状体７の内部において、紐等で締結することによって、薄膜部材２と第１の剛性部材３と第２の剛性部材４を固定してもよいし、袋状体７の内部に薄膜部材２と第１の剛性部材３と第２の剛性部材４に適合した袋を設け、当該袋内に薄膜部材２と第１の剛性部材３と第２の剛性部材４を挿入することによって、薄膜部材２と第１の剛性部材３と第２の剛性部材４を固定してもよい。
【００３０】
薄膜部材２と第１の剛性部材３と第２の剛性部材４は、袋状体７によって包み込まれることによって、ケーブル通路等に接触して傷つけられるといった不具合を解消することができる。袋状体７として、任意の素材を用いることができるが、作業効率を考慮して、皮、化学繊維等の比較的軽量な素材を用いることが好ましい。
【００３１】
また、配線用工具１は、上述の通り、当該配線用工具１自身にケーブル６を連結するための連結手段とを具備する。本実施形態において、この連結手段は、袋状体７の開口部７ａと、該開口部７ａに挿入されるケーブル６を締結する紐状体７ｂとによって構成されている。図３に示すように、紐状体７ｂを用いたケーブル６の締結を補助するために、開口部７ａを閉じた状態で維持することが可能なロック７ｃを設けてもよい。このような連結手段を用いることによって、ケーブル６のコネクタ部分６ａの形状を意識することなく、光ケーブルや同軸ケーブル等の任意のケーブル６と配線用工具１とを連結することができる。
【００３２】
また、図４に示すように、袋状体７が、薄膜部材２の一方の面（「Ｂ面」）側と薄膜部材２の他方の面（「Ａ面」）側とを識別可能な外観とされていることが好ましい。例えば、図４に示すように、Ａ面側とＢ面側とで、袋状体７の色を変更したり、模様を変更したりすることが好ましい。また、Ａ面側又はＢ面側のどちらか一方に目印を付けておいてもよい。図４（ａ）は、屈曲していない状態の配線用工具１を袋状体７の外側から見た図であり、図４（ｂ）は、屈曲した状態の配線用工具１を袋状体７の外側から見た図である。
【００３３】
（本実施形態に係る配線用工具１を用いたケーブルの配線方法）
本実施形態に係る配線用工具１を用いて、ケーブル６を配線架８と配線架８'との間で配線する方法を、図５及び図６を参照にして説明する。
【００３４】
第１に、ケーブル６を、袋状体７の開口部７ａに挿入し、紐状体７ｂ及びロック７ｃにより締結することによって、配線用工具１にケーブル６を連結する。
【００３５】
第２に、配線架８のケーブル通路９において、ケーブル６が連結された配線用工具１を、薄膜部材２の一方の面（「Ｂ面」）を下にした状態で通過させることによって、横方向（本実施形態では、右方向）にケーブル６を誘導する。
【００３６】
第３に、配線架８と配線架８'との間のケーブル通路９（直角部１１）において、ケーブル６を誘導する方向を横方向（本実施形態では、右方向）から縦方向（本実施形態では、下方向）へ切り替えるために、薄膜部材２の他方の面（「Ａ面」）をケーブルを誘導する方向（本実施形態では、下方向）に向けて配線用工具１を下方向に屈曲させる。
【００３７】
第４に、配線架８と配線架８'との間のケーブル通路９（垂直部１２）において、配線用工具１を下方向に通過させることによって、ケーブル６を下方向に誘導する。
【００３８】
第５に、配線架８と配線架８'との間のケーブル通路９（直角部１３）において、ケーブル６を誘導する方向を縦方向（本実施形態では、下方向）から横方向（本実施形態では、右方向）へ切り替えるために、薄膜部材２の他方の面（「Ａ面」）をケーブルを誘導する方向（本実施形態では、右方向）に向けて配線用工具１を右方向に屈曲させる。
【００３９】
第６に、配線架８'のケーブル通路（水平部１４）において、薄膜部材２の一方の面（「Ｂ面」）を下にした状態で配線用工具１を通過させることによって、横方向（本実施形態では、右方向）にケーブル６を誘導する。
【００４０】
（本実施形態に係る移動体通信システムの作用・効果）
本実施形態に配線用工具１によれば、薄膜部材２に対して「Ｂ面」側に湾曲するような曲げ応力Ｆ１が作用した場合であっても、第１の剛性部材３の側面３ａが、隣接する他の第１の剛性部材３'の側面３'ａと当接するために、当該配線用工具１が、「Ｂ面」側に屈曲することができない。一方、薄膜部材２に対して「Ａ面」側に湾曲するような曲げ応力Ｆ２が作用した場合は、薄膜部材２が可撓性を有するために、当該配線用工具１が、「Ａ面」側に屈曲する。
【００４１】
この性質を利用して、配線架８'のケーブル通路９（水平部１４）において、横方向にケーブル６を誘導する場合に、ケーブル６を袋状体７の開口部７ａ及び紐状体７ｂで連結した配線用工具１を、「Ｂ面」側を下にした状態で通過させることによって、横方向のケーブル配線をスムーズに行うことが可能となり、作業効率の向上を図ることが可能となる。
【００４２】
また、配線架８，８'の間のケーブル通路９（直角部１１）において、ケーブル６を誘導する方向を、横方向から縦方向へ又は横方向から縦方向へ切り替える場合は、「Ａ面」側を切り替える方向に向けて、配線用工具１を屈曲させ、配線用工具１の進行方向を切り替えることができる。この結果、ケーブル６を誘導する方向の切り替えをスムーズに行うことが可能となり、作業効率の向上を図ることが可能となる。
【００４３】
また、かかる発明によれば、「Ａ面」側に配線用工具１を屈曲させて丸めることが可能であるため、当該配線用工具１を使用しない場合の保管に便利である。
【００４４】
本実施形態に配線用工具１によれば、切欠部４ａによって配線用工具１の屈曲角度を調整することができるため、横方向から縦方向へケーブル６を誘導する方向を切り替える場合や、横方向から縦方向へケーブル６を誘導する方向を切り替える場合において、配線用工具１が屈曲し過ぎるといった不具合を解消することができ、より作業効率の向上を図ることができる。
【００４５】
本実施形態に配線工具１によれば、袋状体７の開口部７ａに挿入されたケーブル６を紐状体７ｂで締結することによって、配線用工具１とケーブル６が連結されるため、配線用工具１を安価で容易に製作することができる。また、ケーブル６のコネクタ部分６ａの形状を意識することなく、配線用工具１とケーブル６とを連結することができる。さらに、薄膜部材２及び第１の剛性部材３が、袋状体７によって包み込まれるため、ケーブル６の誘導の途中で、ケーブル通路９等に接触して傷つけられるという不具合を回避することができる。
【００４６】
本実施形態に配線工具１によれば、ケーブル６を誘導している途中で、袋状体７内で薄膜部材２及び第１の剛性部材３が反転して、「Ａ面」側と「Ｂ面」側とが入れ替わるという不具合を解消することができる。
【００４７】
本実施形態に配線工具１によれば、袋状体７の外側から「Ａ面」側と「Ｂ面」側とを識別することが可能となる。
【００４８】
本実施形態に配線方法によれば、一方の方向（Ａ面側）にしか屈曲しない配線用工具１を用いるため、横方向にケーブルを誘導する工程、及び、横方向から縦方向へ、又は横方向から縦方向へケーブルを誘導する方向を切り替える工程をスムーズに行うことが可能となり、作業効率を向上が可能になる。
【００４９】
（変更例）
なお、本発明に係る配線用工具１は、本実施形態に限定されるものではなく、薄膜部材２に第２の剛性部材４を固定しない構造を採ってもよい。
【００５０】
また、本発明に係る配線用工具１は、本実施形態に限定されるものではなく、連結手段として、袋状体７の開口部７ａと紐状体７ｂとによって構成される連結手段の替わりに、例えば、ケーブル６のコネクタ部６ａを挿入可能なコネクタ挿入口等を具備してもよい。
【００５１】
また、本発明に係る配線方法は、配線架８，８’におけるケーブルの配線に限定されるものではなく、例えば、床下配線等の任意の場所におけるケーブルの配線に適用することができる。
【００５２】
【発明の効果】
以上説明したように本発明によれば、配線架においてケーブル通路が狭い場合であっても、作業効率を向上させることを可能とする配線用工具及び配線方法を提供することができる。
【図面の簡単な説明】
【図１】本発明の一実施形態に係る配線用工具を構成する薄膜部材、第１の剛性部材及び第２の剛性部材を示す図である。
【図２】本発明の一実施形態に係る配線用工具を構成する薄膜部材、第１の剛性部材及び第２の剛性部材が屈曲した状態を示す図である。
【図３】本発明の一実施形態に係る配線用工具を示す図である。
【図４】本発明の一実施形態に係る配線用工具を示す図である。
【図５】本発明の一実施形態に係る配線方法を示す図である。
【図６】本発明の一実施形態に係る配線方法を示す図である。
【符号の説明】
１…配線用工具
２…薄膜部材
３、３'…第１の剛性部材
３ａ、３'ａ…第１の剛性部材の側面
４…第２の剛性部材
４ａ…切欠部
５…ネジ
６…ケーブル
６ａ…コネクタ部
７…袋状体
７ａ…開口部
７ｂ…紐状体
７ｃ…ロック
８、８'…配線架
９…ケーブル通路
１１、１３…直角部
１２…垂直部
１４…水平部
【図１】
0003648494.tif 000002
【図２】
0003648494.tif 000003
【図３】
0003648494.tif 000004
【図４】
0003648494.tif 000005
【図５】
0003648494.tif 000006
【図６】
0003648494.tif 000007